(57)【要約】      （修正有）【課題】ショーツの着用中に生じる、裾口部分の巻き込みやズリ上がりを防止し、着用感および着用時の外観にも優れた立体縫製ショーツを提供する。【解決手段】少なくとも前身頃２、後身頃３および２枚の後脇片４ａ，４ｂで構成され、２枚の後脇片の左右両辺をそれぞれ前身頃および後身頃の左右両辺に縫合され、前身頃と後身頃が下端において縫合されたショーツであって、後脇片がその中央より下側部で後身頃側に緩やかに凸出しており、縫合後の後身頃と後脇片で形成される部分が後側に膨出していることを特徴とする。【選択図】図１
0003187706.tif 000002
【実用新案登録請求の範囲】
【請求項１】
少なくとも前身頃、後身頃および２枚の後脇片で構成され、２枚の後脇片の左右両辺をそれぞれ前身頃および後身頃の左右両辺に縫合し、前身頃と後身頃が下端において縫合されたショーツであって、後脇片がその中央より下側部で後身頃側に緩やかに凸出しており、縫合後の後身頃と後脇片で形成される部分が後側に膨出していることを特徴とする立体縫製ショーツ。
【請求項２】
後脇片の後身頃側の辺が、細長いＳ字状または逆Ｓ字状である請求項１記載の立体縫製ショーツ。
【請求項３】
前身頃の上側に弾性繊維を含まない非弾性布地又はボンディング布地部分を有する請求項１または２記載の立体縫製ショーツ。
【請求項４】
前身頃、後身頃および２枚の後脇片が、その上端でゴムを縫い込んだバンドで縫合される請求項１ないし３の何れかの項記載の立体縫製ショーツ。
【請求項５】
前身頃と後身頃の下端縫合部内側にクロッチ片を設けた請求項１ないし４の何れかの項記載の立体縫製ショーツ。
【請求項６】
前身頃下部、後身頃下部および後脇片で形成される裾口が、布地でくるんだゴムを外側に出るよう縫い付けたものである請求項１ないし５の何れかの項記載の立体縫製ショーツ。
【考案の詳細な説明】
【技術分野】
【０００１】
本考案は、立体的に縫製されたショーツに関し、更に詳細には、着用感が良く、裾口の巻き込みやズリ上がりを防止することのできる立体縫製ショーツに関する。
【背景技術】
【０００２】
従来からショーツの縫合においては、伸縮性素材を使用してパターン（カッティング）の方法を工夫して縫合することにより、臀部に膨らみを持つように構成された立体的なショーツがある。
【０００３】
例えば、特許文献１では、後身頃と両脇の曲率を変えて縫合することにより、臀部に立体性を出したショーツが開示されている。
【０００４】
しかしながら、このような立体縫製では、着用中に裾口の巻き込みやズリ上がりが生じやすいという問題があった。
【先行技術文献】
【特許文献】
【０００５】
【特許文献１】実用新案登録第３０１６７５５号
【考案の概要】
【考案が解決しようとする課題】
【０００６】
本考案は、上記実情に鑑みなされたものであり、ショーツの着用中に生じる、裾口部分の巻き込みやズリ上がりを防止し、着用感にも優れた立体縫製ショーツを提供するものである。
【課題を解決するための手段】
【０００７】
本考案者らは、従来の裾口の巻き込みやズリ上がりの欠点を解消すべく、検討を行った結果、ショーツがゆったりと臀部を覆えるようにすれば、ショーツと臀部の間に不必要な力がかからず、裾口の巻き込みやズリ上がりが生じないことを見出し、本考案に至った。
【０００８】
すなわち本考案は、少なくとも前身頃、後身頃および２枚の後脇片で構成され、２枚の後脇片の左右両辺をそれぞれ前身頃および後身頃の左右両辺に縫合し、前身頃と後身頃が下端において縫合されたショーツであって、後脇片がその中央より下側部で後身頃側に緩やかに凸出しており、縫合後の後身頃と後脇片で形成される部分が後側に膨出していることを特徴とする立体縫製ショーツである。
【考案の効果】
【０００９】
本考案の立体縫製ショーツは、縫合後の後身頃と後脇片で形成される部分が後側に膨出しているため、着用感が良く、また着用中において、布の巻き込みやズリ上がりを防止することができる効果を得ることができるものである。
【図面の簡単な説明】
【００１０】
【図１】本考案の立体縫製ショーツの一態様についての構成布片を示す図面である。
【図２】図１の構成布片で作られた立体縫製ショーツの正面図である。
【図３】図１の構成布片で作られた立体縫製ショーツの裏面図である。
【図４】従来技術での後脇片と本考案で用いる後脇片の形状を比較した図面である。
【考案を実施するための形態】
【００１１】
以下、本考案の好ましい実施態様を図面と共に挙げ、本考案を更に詳しく説明する。
【００１２】
図１は、本考案の立体縫製ショーツ（以下、「ショーツ」という）の構成布片を示す図面であり、図２は、これら構成布片から作られたショーツの正面図、図３はその背面図である。図中、１はショーツ、２は前身頃、３は後身頃、４は後脇片、５は非弾性布地部、６は保持ベルト、７は裾口をそれぞれ示し、Ａは、前身頃２と後脇片４の縫合線を、Ｂは後脇片４と後身頃３の縫合線をそれぞれ示す。
【００１３】
本考案のショーツ１は、基本的に前身頃２、後身頃３および２枚の後脇片４ａおよび４ｂを用い、これらの後脇片の左右両辺を、それぞれ前身頃２および後身頃３の左右両辺に縫合し、更に、前身頃２と後身頃３をそれらの下端において縫合することにより製造される。
【００１４】
これら本考案のショーツ１で使用する構成布片のうち、前身頃２および後身頃３の形状は、従来から使用されているものとほとんど同じであり、特段に特徴はない。
【００１５】
一方、本考案においては、ショーツ１に使用する後脇片４ａおよび４ｂの後身頃３側の辺が、その中央より下側部で後身頃３側に緩やかに凸出している点に特徴がある。
【００１６】
すなわち、従来の類似のショーツ（例えば、特許文献１のもの）で用いる後脇片４’の後身頃３側の辺は、図４の（Ｂ）に示すようにほぼ直線に近い曲線で形成されているが、本考案で用いる後脇片４ａの辺は、全体的として、細長いＳ字型または逆Ｓ字型となっている。この後脇片４ａの凸出の程度は、最大に凸出した点（Ｚ）で、後脇片４ａの辺の上端Ｘと下端Ｙを結んだ直線に比べ、２ないし５ｃｍ程度である。
【００１７】
そして上記のように後脇片４ａおよび４ｂが緩やかに凸出している結果、縫合後の後身頃辺３と後脇片４ａおよび４ｂで形成される部分は、後側で膨出することになる。従って、従来のショーツに比べ、ゆったりと臀部を覆うことができ、臀部とショーツの間に不必要な力がかからず、裾口の巻き込みやズリ上がりが生じることがないのである。
【００１８】
本考案のショーツは、上記の特定の形状をした後脇片４を用いる以外は、従来の方法に従って製造することができる。例えば、前身頃２、後身頃４、後脇片に、それらの素材として使用される布地は、従来から使用されている伸縮性のある布地、例えば、補整等を目的とするショーツで一般に使用される材質を利用することができる。その材質の一例としては、弾性繊維を含むラッセル編物、トリコット編物、ストレッチレース、パワーネット、サテンネット、ベア天竺等の伸縮性を有する生地を挙げることができ、このような生地を使用することで、伸縮性や肌ざわりもよく、着用感の優れたショーツとすることができる。また、必要に応じては、図１および２に示すように、前身頃２の一部は、弾性繊維を含まない非弾性布地やボンディング布地等のものとしても良い。
【００１９】
更に、前身頃２、後身頃３および２枚の後脇片４ａおよび４ｂを、それらの上端で保持ベルト６と縫い合わせることが必要であるが、ここで使用する保持ベルト６としては、ゴムを縫いこんだゴムベルト等を使用することが好ましく、また、前身頃２、後身頃３および２枚の後脇片４ａおよび４ｂと共布又はストレッチレースやボンディング仕様の別布による伸縮性のあるベルトであっても良い。さらに前身頃２、後身頃３および２枚の後脇片４ａおよび４ｂの身生地続きにゴムベルトをくるんでも良い。
【００２０】
更にまた、裾口７は、前身頃２下部、および後脇片４下部を縫い合わせることで形成されるが、この裾口は、ゴム紐などの伸縮性材料を布地でくるんだ後、この伸縮性材料が外側に出るよう縫い付けることが好ましい。また、裾口７は、前身頃２および２枚の後脇片４ａおよび４ｂと共布又はストレッチレースやボンディング仕様の別布による伸縮性のある布地であっても良い。
【００２１】
また更に、必要であれば、前身頃２と後身頃３の下端での縫合部内側にクロッチ片（図示せず）を設けることもできる。この場合のクロッチ片は、前身頃２と後脇線４ａおよび４ｂで形成する裾口７に縫い振らすことが好ましい。
【産業上の利用可能性】
【００２２】
本考案のショーツは、後脇片として、その中央より下側で後身頃側に緩やかに凸出しているものを使用しているため、従来のショーツに比べ、縫合後の後身頃と後脇片で形成される部分が後側に膨出し、結果としてゆったりと臀部を覆うことができ、裾口の巻き込みやズリ上がりが起きにくいものである。
【００２３】
従って、本考案のショーツは、着用感の良いショーツとして広く利用しうるものである。
【符号の説明】
【００２４】
１……立体縫製ショーツ
２……前身頃
３……後身頃
４……後脇片
５……非弾性布地部
６……保持ベルト
７……裾口
Ａ……前身頃２と後脇片４の縫合部分（縫合線）
Ｂ……後脇片４と後身頃３の縫合部分（縫合線）
【図１】
0003187706.tif 000003
【図２】
0003187706.tif 000004
【図３】
0003187706.tif 000005
【図４】
0003187706.tif 000006